(57)【要約】複数の質問が世論調査チェーン用に選択される。世論調査チェーンによる質問は、特定された各ユーザに多様なオンライン会場で提示される。世論調査チェーンで殆どまたは全ての質問に回答した特定ユーザの回答を蓄積した結果は、時間をかけて集められ相関され、総合的なユーザ回答を判断する。当該方法では、時間をかけ質問数を少なくして質問を提示することで回答者の回答疲れを回避しながら、多くの質問のデータを収集する。【選択図】図２
2016524258.tif 000002
【特許請求の範囲】
【請求項１】
コンピュータ実施方法は、
世論調査チェーンとして複数の質問をグループ化し、
特定視聴者メンバとの第一コミュニケーションセッションを特定し、
前記第一コミュニケーションセッションの間、前記特定視聴者メンバに対し前記世論調査チェーンから第一問を選択提示し、前記第一問の選択にはユーザが前記第一問に未回答であるとの判断を伴い、
前記第一問へのユーザの回答に基づき第一データを受信し、
前記特定視聴者メンバとの第二コミュニケーションセッションを特定し、前記第二コミュニケーションセッションは前記第一コミュニケーションセッションとは異なるコミュニケーションチャネルで開かれ、
前記第二コミュニケーションセッションの間、前記特定視聴者メンバに対し前記世論調査チェーンの第二問を選択提示し、前記第二問の選択には前記ユーザが前記第二問に未回答であるとの判断を伴い、
前記第二問への前記ユーザの回答に基づき第二データを受信することを特徴とするコンピュータ実施方法。
【請求項２】
請求項１に記載のコンピュータ実施方法において、
前記第一及び第二コミュニケーションセッションのいずれか一方が携帯機器のアプリケーションを使用する、前記コンピュータ実施方法。
【請求項３】
請求項１に記載のコンピュータ実施方法において、
前記第一及び第二コミュニケーションセッションのいずれか一方はウェブブラウザを使用する、前記コンピュータ実施方法。
【請求項４】
請求項１に記載のコンピュータ実施方法において、
前記第一及び第二コミュニケーションセッションはそれぞれ、ウェブブラウザを使ったインターネットセッションであり、
第一コミュニケーションチャネルは第一ウェブサイトであり、第二コミュニケーションチャネルは第二ウェブサイトである、前記コンピュータ実施方法。
【請求項５】
請求項１に記載のコンピュータ実施方法においてさらに、
前記第一データと前記第二データを相関させ、前記第一及び第二データを分析する、前記コンピュータ実施方法。
【請求項６】
請求項５に記載のコンピュータ実施方法において、
前記第一及び第二データの分析では、前記第一及び第二データ、並びに、前記世論調査チェーンの前記第一及び第二問への他のユーザによる前記回答に基づいたデータを合わせて収集する、前記コンピュータ実施方法。
【請求項７】
請求項１に記載のコンピュータ実施方法において、
前記第一及び第二データ、並びに、他のユーザによる前記回答に基づいたデータを合わせた収集ではさらに、前記第一問及び前記第二問に同様の回答をしたユーザを特定する、前記コンピュータ実施方法。
【請求項８】
少なくとも１つの非一時的プロセッサの読み取り可能な記憶媒体であって、少なくとも１つのプロセッサにより読み取り可能に構成されたコンピュータ指示プログラムを記憶し、前記少なくとも１つのプロセッサに指示し、請求項１に記載の前記コンピュータ実施方法を実施するコンピュータ処理を実行させる、前記記憶媒体。
【請求項９】
ネットワークに通信可能に接続された１以上のプロセッサを備えるシステムであって、前記１以上のプロセッサは、
世論調査チェーンとして複数の質問をグループ化し、
特定視聴者メンバと第一コミュニケーションセッションを特定し、
前記第一コミュニケーションセッションの間、前記特定視聴者メンバに対し前記世論調査チェーンから第一問を選択提示し、前記第一問の選択にはユーザが前記第一問に未回答であるとの判断を伴い、
前記第一問への前記ユーザの回答に基づき第一データを受信し、
前記特定視聴者メンバと第二コミュニケーションセッションを特定し、前記第二コミュニケーションセッションは前記第一コミュニケーションセッションとは異なるコミュニケーションチャネルで開かれ、
前記第二コミュニケーションセッションの間、前記特定視聴者メンバに対し前記世論調査チェーンの第二問を選択提示し、前記第二問の選択には前記ユーザが前記第二問に未回答であるとの判断を伴い、
前記第二問への前記ユーザ回答に基づき第二データを受信するよう構成される、前記システム。
【請求項１０】
請求項９に記載のシステムにおいて、
前記第一及び第二コミュニケーションセッションのいずれか一方が携帯機器のアプリケーションを使用する、前記システム。
【請求項１１】
請求項９に記載のシステムにおいて、
前記第一及び第二コミュニケーションセッションのいずれか一方はウェブブラウザを使用する、前記システム。
【請求項１２】
請求項９に記載のシステムにおいて、
前記第一及び第二コミュニケーションセッションはそれぞれ、ウェブブラウザを使ったインターネットセッションであり、
第一コミュニケーションチャネルは第一ウェブサイトであり、第二コミュニケーションチャネルは第二ウェブサイトである、前記システム。
【請求項１３】
請求項９に記載のシステムにおいて、
前記プロセッサはさらに、前記第一データと前記第二データを相関させ、前記第一及び第二データを分析するよう構成された、前記システム。
【請求項１４】
請求項１３に記載のシステムにおいて、
前記第一及び第二データの分析では、前記第一及び第二データ、並びに、前記世論調査チェーンの前記第一及び第二問への他のユーザによる前記回答に基づいたデータを合わせて収集する、前記システム。
【請求項１５】
請求項９に記載のシステムにおいて、
前記第一及び第二データ、並びに、他のユーザによる前記回答に基づいたデータを合わせた収集ではさらに、前記第一問及び前記第二問に同様の回答をしたユーザを特定する、前記システム。
【発明の詳細な説明】
【技術分野】
【０００１】
関連出願の相互参照
本出願は、全て含むよう引用により組入れられた２０１３年６月２８日出願の米国特許仮出願第６１／８４１、０２２に基づく優先権を主張する。
【０００２】
本出願は一般的にはオンライン調査に関連し、特に複数セッションにわたる特定ユーザに対する関連調査質問の提供に関連する。
【背景技術】
【０００３】
インターネット及びオンライン会場、並びにデジタル特性において、現在我々は、ウェブ２．０及びビッグデータサービスとして知られているが、ソーシャルネットワーク及び専門ネットワークで作成されシェアされる情報を活用するにはより高い信頼性と典型性が必要であることを理解し、新しい段階への移行期にいる。特に、人生の様々なトピックや世界における課題について人々が実際どう考えているかについて、正確で数量化可能な総合的データを取得したいという要望に未だ対応できていない。例として、製品またはサービスの開発販売計画を最適にするためには、マーチャンダイザ及びマーケッタは、消費者の関心と意思決定プロセスについて確実に理解し予測可能にするだけでなく、製品特性、サービスアピール、トレンド、価格についての消費者の意見を確実に理解することが必須である。また、政治、文化、スポーツ、娯楽、並びに、地理的、教育及び職業トレンドの推測などを含め人生のあらゆる分野における分析も必須である。
【０００４】
様々な技術を使用し、オンラインアンケートも使って消費者調査を実施し、かかる情報を集める。かかるデータ収集に悪影響を及ぼす可能性のある問題の１つに、「回答者の回答疲れ」が知られている。「回答者の回答疲れ」では、所与の設定においてユーザへの質問が多ければ多いほど、回答率及び正確性が低くなり、アンケートの終わりに近づくほど顕著になる。一連の関連質問に同一の消費者が回答することが望まれる連続調査では、本来の回答を得ることが難しくなり得る。
【発明の概要】
【０００５】
一連の規則あるいは一連の業務要件及び判断基準のいずれかでまとめた「世論調査チェーン」から成り、時間をかけた複数の調査会場での配布方法で対象ユーザに提示されるアンケートを作成し実施する方法及びシステムを提供する。
【０００６】
１つの実施形態において、本技術は、世論調査チェーンとして複数の質問をグループ化し、特定視聴者メンバと第一コミュニケーションセッションを特定し、第一コミュニケーションセッションの間、特定視聴者メンバに対し世論調査チェーンから第一問を選択提示し、第一問の選択にはユーザが第一問に未回答であるとの判断を伴い、第一問へのユーザの回答に基づき第一データを受信し、特定視聴者メンバと第二コミュニケーションセッションを特定し、第二コミュニケーションセッションは第一コミュニケーションセッションとは異なるコミュニケーションチャネルで開かれ、第二コミュニケーションセッションの間、特定視聴者メンバに対し世論調査チェーンの第二問を選択提示し、第二問の選択にはユーザが第二問に未回答であるとの判断を伴い、第二問へのユーザの回答に基づき第二データを受信するステップを備える方法として実現されてもよい。
【０００７】
本実施形態におけるその他の態様によると、第一及び第二コミュニケーションセッションのいずれか一方が携帯機器のアプリケーションを使用してもよい。
【０００８】
本実施形態におけるその他の態様によると、第一及び第二コミュニケーションセッションのいずれか一方はウェブブラウザを使用してもよい。
【０００９】
本実施形態におけるその他の態様によると、第一及び第二コミュニケーションセッションはそれぞれ、ウェブブラウザを使ったインターネットセッションであってよい。第一コミュニケーションチャネルは第一ウェブサイトであってよく、第二コミュニケーションチャネルは第二ウェブサイトであってもよい。
【００１０】
本実施形態におけるその他の態様によると、本方法は、第一データと第二データを相関させ、第一及び第二データを分析してもよい。
【００１１】
本実施形態におけるその他の態様によると、第一及び第二データの分析では、第一及び第二データ、並びに、世論調査チェーンの第一及び第二問への他のユーザによる回答に基づいたデータを合わせて収集してもよい。
【００１２】
本実施形態におけるその他の態様によると、第一及び第二データ、並びに、他のユーザによる回答に基づいたデータを合わせた収集ではさらに、第一問及び第二問に同様の回答をしたユーザを特定してもよい。
【００１３】
別の実施形態によると、本技術は、少なくとも１つのプロセッサの読み取り可能な記憶媒体及び少なくとも１つの媒体に記憶される指示を備える製品として実現されてもよい。指示は、少なくとも１つの媒体から少なくとも１つのプロセッサにより読み取り可能に構成され、上記方法におけるあらゆるステップを実行するよう、少なくとも１つのプロセッサを動作させてもよい。
【００１４】
別の実施形態によると、本技術は、ネットワークに通信可能に接続された１以上のプロセッサを備えるシステムとして実現されてもよく、１以上のプロセッサは、上に挙げた全ての実施形態におけるあらゆる記載ステップを実行できるよう構成される。
【００１５】
本開示では、添付図に示した特定の実施形態について以下に詳術する。本開示では、特定の実施形態について以下で開示するが、本開示は当該実施形態に限定されないことを理解されたい。本明細書の教示を利用できる当業者であれば、他の使用分野に加え、別の実施例、変形例、及び実施形態も認識できるが、それらは本明細書に記載する本開示の範囲内であり、本開示による有用性の対象であり得る。
【図面の簡単な説明】
【００１６】
下に記載する詳細説明と合わせ、添付図を参照することで、本発明はより理解されるであろう。
【図１】本発明の実施形態に応じた調査質問の世論調査チェーンへの配布を示すブロック図である。
【図２】本発明の実施形態に応じた調査質問の世論調査チェーンからの展開を示すブロック図である。
【図３】本発明の実施形態に応じた世論調査チェーンを作成するための調査質問の選択を示すダッシュボードスクリーンを示す図である。
【図４Ａ】本発明の実施形態に応じたウェブベースのアンケートを表す図である。
【図４Ｂ】本発明の実施形態に応じた携帯アプリケーションを表す図である。
【図４Ｃ】本発明の実施形態に応じたウィジェットに展開する調査質問を表す図である。
【図４Ｄ】本発明の実施形態に応じたソーシャルネットワーク方法により質問する調査質問を表す図である。
【図５】本発明の実施形態に応じた世論調査チェーンによる結果を表す図である。
【図６】本発明の実施形態に応じた世論調査チェーンの収集および展開方法のフロー図である。
【発明を実施するための形態】
【００１７】
本発明は、一連の規則あるいは一連の業務要件及び判断基準のいずれかでまとめた「世論調査チェーン」から成り、時間をかけ複数の調査会場で配布する方法で対象ユーザに提示するアンケートを作成し実施する方法及びシステムを提供する。
【００１８】
本発明は、潜在的に質問数が極端に多いアンケートを実施してしまう問題を解決し、「回答者の回答疲れ」として知られるアンケート調査問題を解決する。時間をかけ複数のオンライン調査会場（ウェブサイト、携帯アプリケーションなど）でアンケート質問を配り、目標を達成する。特定の調査期間、質問を展開し、質問する質問数を比較的少なくしているため、回答者の回答疲れは各段に軽減される。
【００１９】
世論調査チェーンは、アンケートに関連した他２つの問題にも対処する。問題の１つは、質問順による影響である。当該影響とは、回答者がアンケートの目的を理解し、自身をよく見せようとしてしまうため、アンケートにおけるある質問に対する回答がアンケートで先に問われた質問により影響されてしまうことである。何日も、時には数週間あけて質問することで、質問順影響は無くなる。残りの問題は、従来のアンケートでは横断的なデータを集めることができるが、時間経過による変化を見ることはできないことである。時間を経て同一質問を２度または複数回質問することで、調査者側は、人口統計学的変数や心理的変数など、もしくは経過期間内に起こった出来事に関連する態度または行動の変化を認識できる。
【００２０】
一般的に、アンケートとは、共通の目的でまとめた個々の質問または調査の寄せ集めであり、その目的は、共通のトピック、または、実施可能な保存質問群の中から個々の質問を選択するアルゴリズムを規定する一連の規則であってもよい。さらに、特定のアンケートの目標に関する一連の業務要件及び判断基準は、特定の世論調査チェーンで実施可能な保存質問群を構成する個々の質問を正確に特定するために使用され得る。
【００２１】
アルゴリズム及び業務要件で統合された実施可能な保存質問群が「世論調査チェーン」を形成する。世論調査チェーンは、表形式にまとめられた特定の世論調査チェーンに関する、提示される質問全て及び回答を含む。個々の質問を１以上の世論調査チェーンに含めてもよい。
【００２２】
世論調査チェーンを公表し、これらの質問を対象ユーザに提示する。しかし、数多くなる可能性がある質問を全て提示せず、例えば１か月間（またはそれ以上）１日に１調査というように一度に１調査の質問を少数グループの対象ユーザに提示する。世論調査チェーンの質問が、必ずしも世論調査チェーンの一部、または実際にはアンケートの一部であると知らせる必要はない。
【００２３】
対象ユーザが調査会場にアクセスする度に、世論調査チェーンに関連するアルゴリズム、及び調査会場に関連する質問に対する使用可能スペースに応じて、世論調査チェーンから１以上の質問が選択され、対象ユーザに提示される。対象ユーザが調査会場で暫く時間を費やせば、世論調査チェーンの質問を増やして当該対象ユーザに提示するようにしてもよい。対象ユーザが複数の調査会場にアクセスすれば、世論調査チェーンの質問を当該サイトにわたり配布する。対象ユーザが特定のサイトで暫く時間を費やすか、何度も同じサイトにアクセスすれば、世論調査チェーンの質問をその時に配布してもよい。この方法では、対象ユーザそれぞれが異なる行動及び使用パターンを行っても、世論調査チェーンにおいて可能な限り多くの対象ユーザに可能な限り多くの質問が提示される。
【００２４】
特定のユーザに展開される世論調査チェーンの期間の長さは、トピックの本質及びアンケートの目標により異なってもよい。ある実施において、様々な質問の結果が、回答者それぞれの傾向を持つ回答を反映し、現実的に相関していることを確かめるため、世論調査チェーンの１問目の調査質問を提示してから最終問までの全期間を通常6か月程度以内、最長１年までとしてもよい。
【００２５】
図１は、調査質問１０２ａ−ｎを備えるデータ構造１００を含むブロック図である。データ構造１００は、特定ユーザに対するアンケートのいずれかの一部である各質問１０２に関連する全データを備えてもよく、各質問が展開された時点及び受領した回答に関係するデータを含んでもよい。
【００２６】
データ構造１１０は、世論調査チェーン１１２ａ及び１１２ｂを含め、特定のユーザアカウントに関連する各世論調査チェーンを備えてもよい。図示したように、各世論調査チェーン１１２は、調査質問１０２のいずれかを備えてもよい。特定の質問が複数の世論調査チェーンに備えられてもよく、いずれにも備えられなくてもよい。図１に示すように、質問１０２ａは世論調査チェーン１１２ａ及び１１２ｂのどちらにも関連していない。質問１１２ｂ、１１２ｄ及び１１２ｅは世論調査チェーン１１２ａに関連し、質問１１２ｂ、１１２ｃ及び１１２ｄは世論調査チェーン１１２ｂに関連する。
【００２７】
図２は、質問２０２ａ−ｅを備える特定の世論調査チェーン２００を示し、当該調査がどのように時間をかけて展開されるかを示す。
【００２８】
図２に示すように、世論調査チェーン２００での質問２０２は、様々な調査会場で展開されてもよい。調査会場には、調査ウェブサイト、携帯機器、第三者ウェブサイトによるウィジェット、及びＳＭＳメッセージなどの代替コミュニケーションチャネルを含めてもよい。調査システムで使用可能であり、特定ユーザを識別可能なコミュニケーションチャネルは、当該ユーザに１以上の質問を展開するよう使用可能である。
【００２９】
図示したように、第一週には、質問２０２ａをウェブサイト２０４ａに展開し、質問２０２ｃをウィジェット２０２ｂに展開する。第二週には、質問２０２ｂ及び２０２ｄをウェブサイト２０４ａに展開し、質問２０２ｅをユーザの携帯機器のアプリケーション２０４ｃに展開する。第三週には、質問２０２ｂをウィジェット２０４ｂに展開し、質問２０２ａを２回目としてソーシャルネットワークサービス２０４ｄの方法で展開する。世論調査チェーン２００を３週間にわたり展開して、各質問２０２を少なくとも１回は特定ユーザに展開する。
【００３０】
図３は、ユーザインターフェースの実施例を示しており、当該インターフェースにより「アンケート管理者」は、世論調査チェーンに追加するために実施可能な調査質問から選択して世論調査チェーンを作成してもよい。ある実施において、管理者が特定の課題または項目に関係ある質問を見つけだせるよう、サーチボックス３０２を提供してもよい。
【００３１】
図に示すように、調査質問（検索結果などに限定されてもよい）の候補を左側列３０４に示し、世論調査チェーン用に選択された質問リストを右側列３０６に示す。管理者は、世論調査チェーンへの質問の追加、及び削除を行うことができる。ある実施において、管理者が新規世論調査チェーン用に質問リストを選択した場合には、追加でオプションを提供してもよい。例えば、ある実施において、調査実行時期と使用調査会場をカスタマイズ可能にしてもよい。ある実施において、管理者が、調査質問を提示する対象ユーザに対する人口統計学的な限定などを選択できるようにしてもよい。ある実施において、任意の質問に対する回答によっては、システムが特定のユーザにはそれ以上の質問をしないようにしてもよい（例えば、ユーザが、世論調査チェーンの焦点である特定の製品に興味を持っていない場合や、世論調査チェーンの焦点である特定のサービスを使ったことがない場合など）。
【００３２】
図４Ａは、世論調査チェーンから展開される質問４０２ａ−ｄを備えるウェブサイト４００のスクリーンショット例を示す。ある実施において、ウェブサイト４００は、世論調査チェーンから複数の質問を備えてもよいが、「回答者の回答疲れ」を考慮しユーザが回答する、提示通りの質問登録のみ行ってもよい。つまり、システムはユーザにどの質問を提示したかの記録を保存しているので、ウェブページが複数の質問を備える場合、過去一度もユーザに提示されなかったように未回答の質問をユーザに再度提示する。
【００３３】
図４Ｂは、世論調査チェーンから展開される質問４１２を備える携帯機器アプリケーション４１０のスクリーンショット例を示す。携帯アプリケーション４１０は、ユーザに配布する別の内容の一部として調査質問を時に備えてもよい。携帯アプリケーション４１０は、調査内容専用であってもよく、別のサービスに繋げられてもよい（例えば、ユーザが別のサービスを使用することで、携帯アプリケーション４１０が動作開始され、時間をおいて調査を展開する）。当業者であれば、アプリケーション４１０はあらゆる携帯機器で展開可能であるとわかる。
【００３４】
図４Ｃは、調査質問の表示用に構成されたウィジェット４２２を付した第三者ウェブサイト４２０のスクリーンショット例を示しており、本図では当該ウィジェット４２２は世論調査チェーンから展開された質問を表示している。ある実施において、調査質問の任意要素はウィジェット４２２と関連する表示設定に応じて表示しても表示しなくてもよい。調査質問は、サイト内容に基づいてウィジェット４２２に展開されてもよく、例えば、スマートフォン画面サイズについての質問は、スマートフォン画面についてのページでより提示されるようにしてもよい。
【００３５】
図４Ｄは、ソーシャルネットワークウェブサイト４３０のスクリーンショット例を示しており、当該インターフェースは、ソーシャルネットワークサービスを通して世論調査チェーンから展開された質問４３２を表示している。質問は、ユーザの嗜好に応じてではあるが、ソーシャルネットワークに関連するコンテキスト情報に基づいて提示されてもよい。
【００３６】
図４Ａ−４Ｄは、世論調査チェーンからの質問を展開する様々なバーチャル会場を示すが、別のコミュニケーションチャネルも使用可能であると理解される。ユーザに対する調査質問の提示方法を多様化することにより、ユーザが各会場で回答する質問数を少なくするが回答機会を増やし、時間をかけて一連の調査質問を全て完了するまで追加できる。
【００３７】
図５は、世論調査チェーンの結果の一部として提示される特定の分析を示す。当該図において、第一問に対する回答を選び、第二問に対する回答を選んだ調査ユーザの割合は、例えば、鞄の購入を決定する際に価格が最優先であると回答したユーザの中で、８．１％は重さがとても重要であると考え、価格は重要でないと回答したユーザの中で、４７．０％は重さがとても重要であると考えたことを示している。回答者の回答疲れが原因で従来の調査技術では、相関させるのは難しいことが多いが、本開示による方法では多くの質問を同一ユーザ組に時間をかけて展開できるため、相関させることができる。
【００３８】
図６は、複数会場への調査質問の配布方法６００を示すフローチャートである。方法６００のステップは、本明細書に記載したように、単に本発明の例示的で代表的な実施である。
【００３９】
図３について前に図示し記載したように、アンケート管理者は世論調査チェーン用質問を選択する（６０２）。ある実施形態において、世論調査チェーンは、関連する質問を認識できるシステムにより自動作成されてもよい。質問の選択に加え、管理者は世論調査チェーンを展開する期間及び展開パラメータ（所定ユーザへの質問提示の頻度、対象とするユーザについての人口統計学的な限定、質問を展開する会場の種類など）についても選択してもよい。いずれの当該パラメータであっても自動決定してもよく、デフォルト値を使用してもよい。
【００４０】
世論調査チェーンで対象とされるユーザは、第一オンライン会場で特定される（６０４）。特定は、例えば、ユーザの機器またはブラウザウィンドによる特定ページの読み込み要求によるものであってもよい。ある実施において、ユーザ特定には、アプリケーションまたはウェブサイトに対するユーザの認証証明書の配布を含んでもよい。
【００４１】
世論調査チェーンからの第一問を第一会場で展開する（６０６）が、要求ウェブページのページ読み込みの一部とした質問提供を伴ってもよい。ある実施において、システムは、ユーザが以前にどの質問に回答したかを追跡し、ユーザからの回答を要する第一問を選択する。質問において、時間に開きのある回答を比較してもよく、ユーザが以前に回答した質問であっても再度展開してもよい。
【００４２】
次に、ユーザが第二会場で特定されると（６０８）、第二問を展開する（６１０）。第二会場は第一会場とは全く異なってもよく、ユーザが当該会場にアクセスする際、別の物理的位置にいてもよい。システムがユーザ特定可能であれば、システムは世論調査チェーンからユーザの回答を要する質問を選択することができる。
【００４３】
第一及び第二問に対するユーザの回答を、例えば図５で示した分析などにより相関させる（６１２）。世論調査チェーンで同一ユーザに両質問に対する（及び、ある実施においては、時には他の質問も合わせて）回答を得ることで、ユーザの回答を相関させることができ、ユーザの行動及び態度に関しより総合的なデータが得られる。
【００４４】
本発明の実施理論はソフトウェアモジュールとして配布される。当該モジュールは代表例である。当該モジュールは、様々なアプリケーションをサポートするために、組合され、一体化され、分離され、及び／または重複されてもよい。また、特定のモジュールで実施されるように本明細書に記載した機能は、特定のモジュールで実施される機能の代わりにまたは追加して、１以上のその他のモジュール及び／または１以上のその他の機器で実施されてもよい。さらに、当該モジュールは、複数の機器、及び／または、同位置の、または互いに離れたその他の部品で実施されてもよい。さらに、当該モジュールは、１台の機器から移され別の機器に追加されてもよく、及び／または両機器に備えられてもよい。
【００４５】
現在のところ、上記のような本開示による技術は、ある程度まで入力データ処理及び出力データ生成を伴ってもよい。入力データ処理及び出力データ生成はハードウェアまたはソフトウェアで実施されてもよい。例えば、上記のように本開示に応じて機能を実施する電気回路構成に特定の電子部品を採用してもよい。あるいは、指示に従い動作する１以上のプロセッサが、上記のように本開示に応じて機能を実施してもよい。かかる場合であっても、かかる指示が、１以上の非一時的プロセッサの読み取り可能記憶媒体（例えば、磁気ディスク、他の記憶媒体など）に記憶され、１以上の搬送波において具現化される１以上の信号で１以上のプロセッサに送信されることは本開示の範囲内である。
【図１】
2016524258.tif 000003
【図２】
2016524258.tif 000004
【図３】
2016524258.tif 000005
【図４Ａ】
2016524258.tif 000006
【図４Ｂ】
2016524258.tif 000007
【図４Ｃ】
2016524258.tif 000008
【図４Ｄ】
2016524258.tif 000009
【図５】
2016524258.tif 000010
【図６】
2016524258.tif 000011
【国際調査報告】
2016524258.tif 000012